(57)【要約】【課題】回収された電子部品や電子機器からレアメタル情報を簡単に取得できると共に、レアメタル情報を秘匿できるようにする。【解決手段】ＲＦＩＤチップ２１に、レアメタル情報の識別コードを保持して電子部品や電子機器２０に装着しておくと共に、組成情報管理サーバ４０の組成情報データベース４１にレアメタル情報を保存しておく。組成情報管理サーバ４０は認証管理部４４を有し、予め登録されている組成情報取得端末５０以外のアクセスは不可能としておく。リサイクル時には、ＲＦＩＤリーダ５１によりＲＦＩＤチップ２１の情報を読み取り、組成情報取得端末５０を組成情報管理サーバ４０に接続し、識別コードを組成情報管理サーバ４０に送る。組成情報管理サーバ４０で識別コードに基づき組成情報データベース４１からレアメタル情報を検索し、組成情報取得端末５０に送る。【選択図】図５
2009116640.tif 000002
【特許請求の範囲】
【請求項１】
部品又は製品を識別する識別コードが記憶されたＲＦＩＤチップが装着された部品又は製品と、
前記部品又は前記製品の組成情報を管理する組成情報管理サーバと、
前記部品又は前記製品を構成する物質の組成情報を取得する組成情報取得端末と、
前記組成情報管理サーバと前記組成情報取得端末との間で通信を行うネットワークとを有する組成情報提供システムであって、
前記組成情報管理サーバは、
前記識別コードに対応して各部品又は製品を構成する物質の組成情報が記憶された組成情報データベースと、
前記組成情報取得端末との間で当該組成情報取得端末が許可された端末であるか否かの認証を行う認証部と、
前記組成情報取得端末から送られてきた識別コードを受信する識別コード受信部と、
前記受信された識別コードに基づいて前記組成情報データベースから当該識別コードに対応する組成情報を検索する組成情報検索部と、
前記検索した組成情報を前記組成情報取得端末に送信する組成情報送信部とを有し、
前記組成情報取得端末は、
組成情報取得の対象となる部品又は製品に装着された前記ＲＦＩＤチップから識別コードを読み取る読取部と、
前記組成情報管理サーバとの認証成立を条件として、前記読取部により読み取った識別コードを前記組成情報管理サーバに送信する識別コード送信部と、
前記組成情報管理サーバから送られてきた組成情報を受信する組成情報受信部と、
前記受信した組成情報を前記組成情報取得の対象となる電子部品又は電子機器の組成情報として表示する組成情報表示部と、
を有することを特徴とする組成情報提供システム。
【請求項２】
前記ＲＦＩＤチップには、前記組成情報管理サーバの前記ネットワーク上のアドレスが記憶されていることを特徴とする請求項１に記載の組成情報提供システム。
【請求項３】
前記部品又は前記製品を構成する物質の組成情報は、前記部品又は前記製品に含有するレアメタルの情報であることを特徴とする請求項１または２に記載の組成情報提供システム。
【請求項４】
前記組成情報データベースには、前記識別コードに対応して、前記部品又は前記製品中で各物質が含まれる部品名又は部位と、その物質名と、その物質の含有量の情報が格納されていることを特徴とする請求項１ないし３のいずれか１項に記載の組成情報提供システム。
【請求項５】
部品又は製品を識別する識別コードが記憶されたＲＦＩＤチップが装着された部品又は製品と、
前記部品又は前記製品の組成情報を管理する組成情報データベースを有する組成情報管理サーバと、
前記部品又は前記製品を構成する物質の組成情報を取得する組成情報取得端末と、
前記組成情報管理サーバと前記組成情報取得端末との間で通信を行うネットワークとを有する組成情報提供システムの制御方法であって、
前記組成情報管理サーバが、前記識別コードに対応して各電子部品又は製品を構成する物質の組成情報を前記組成情報データベースに記憶させる工程と、
前記組成情報取得端末が、組成情報取得の対象となる電子部品又は製品に装着された前記ＲＦＩＤチップから識別コードを取得する工程と、
前記組成情報取得端末が、前記ネットワークを介して前記組成情報管理サーバに接続し、当該組成情報取得端末が登録された端末であるか否かの認証を受ける工程と、
前記組成情報取得端末が、前記認証成立を条件として、前記取得した識別コードを前記組成情報管理サーバに送信する工程と、
前記組成情報管理サーバが、前記組成情報取得端末から送られてきた識別コードに基づいて前記組成情報データベースから当該識別コードに対応する組成情報を検索する工程と、
前記組成情報管理サーバが、前記検索した組成情報を前記組成情報取得端末に送信する工程と、
を有することを特徴とする組成情報提供システムの制御方法。
【請求項６】
コンピュータに、請求項５に記載の組成情報提供システムの制御方法における各工程を実行させるためのプログラム。
【発明の詳細な説明】
【技術分野】
【０００１】
本発明は、リサイクル時に電子機器や電子部品の組成情報を提供する組成情報提供システム、組成情報提供システムの制御方法及びプログラムに関する。
【背景技術】
【０００２】
レアメタルは、地球上に埋蔵量が少ない、或いは、取り出すことが困難な非鉄金属であり、ニッケルやコバルト、チタンなどがその代表である。さらに、生産量が極めて少ない金、銀、白金、インジウム、ゲルマニウム、タンタル、タングステン、ネオジウムなどもレアメタルとして挙げられている。これらのレアメタルは、パーソナルコンピュータや携帯電話に使う半導体などの電子部品をはじめ、オーディオビデオ機器やエアコンなどの家電製品等に広く使われている。レアメタルは世界的に不足しており、電子機器や電子部品に含まれているレアメタルをリサイクルする技術が重要になってきている。
【０００３】
電子機器や電子部品に含まれているレアメタルを効果的にリサイクルするためには、その電子機器や電子部品に、どのような種類のレアメタルがどのくらい含まれているかを把握できることが望まれる。電子機器や電子部品に含まれている物質を把握できるようにした技術としては、特許文献１に、電子部品毎に、それに含まれる有価物質の種類とその含有量とが書き込まれたＩＣタグを貼り付けるようにしたものが提案されている。
【０００４】
特許文献１によれば、レアメタル情報を記憶させたＩＣタグを電子部品に取り付けておくことで、どのような種類のレアメタルがどのくらい含まれているかを簡単に把握することができ、レアメタルの効率的な回収が可能となる。
【特許文献１】特開２００１−３４８３４８号公報
【発明の開示】
【発明が解決しようとする課題】
【０００５】
しかしながら、特許文献１に示されるものでは、レアメタル情報が保護されていないため、どの電子部品や電子機器にどのようなレアメタルが含まれているかが第三者に不当に知られてしまい、正規のルートでの回収を阻害し、貴重なレアメタルが含まれている電子部品や電子機器が不当な業者により回収されたり、不当に輸出されたりする危険性がある。
【０００６】
本発明は、上述の課題を鑑み、回収された電子部品や電子機器からレアメタルに関するレアメタル情報を含む組成情報を簡単に取得できると共に、組成情報を秘匿することができるようにした組成情報提供システム、組成情報提供システムの制御方法及びプログラムを提供することを目的とする。
【課題を解決するための手段】
【０００７】
組成情報提供システムは、部品又は製品を識別する識別コードが記憶されたＲＦＩＤチップが装着された部品又は製品と、部品又は製品の組成情報を管理する組成情報管理サーバと、部品又は製品を構成する物質の組成情報を取得する組成情報取得端末と、組成情報管理サーバと組成情報取得端末との間で通信を行うネットワークとを有する組成情報提供システムであって、組成情報管理サーバは、識別コードに対応して各部品又は製品を構成する物質の組成情報が記憶された組成情報データベースと、組成情報取得端末との間で当該組成情報取得端末が許可された端末であるか否かの認証を行う認証部と、組成情報取得端末から送られてきた識別コードを受信する識別コード受信部と、受信された識別コードに基づいて組成情報データベースから当該識別コードに対応する組成情報を検索する組成情報検索部と、検索した組成情報を組成情報取得端末に送信する組成情報送信部とを有し、組成情報取得端末は、組成情報取得の対象となる部品又は製品に装着されたＲＦＩＤチップから識別コードを読み取る読取部と、組成情報管理サーバとの認証成立を条件として、読取部により読み取った識別コードを組成情報管理サーバに送信する識別コード送信部と、組成情報管理サーバから送られてきた組成情報を受信する組成情報受信部と、受信した組成情報を組成情報取得の対象となる電子部品又は電子機器の組成情報として表示する組成情報表示部と、を有することを特徴とする。
【０００８】
この構成によれば、組成情報データベースに部品又は製品を構成する物質の組成情報が登録され、ＲＦＩＤチップに、組成情報の識別コードが保持されているため、部品又は製品のメーカーに問い合わせることなく、組成情報取得端末から組成情報データベースにアクセスするだけで容易に組成情報を取得することができる。また、組成情報管理サーバに認証部が設けられて、登録を受けている組成情報取得端末のみが組成情報管理サーバに接続でき、それ以外に対しては、接続が拒否されるため、登録を受けている正規のユーザの組成情報取得端末でのみ組成情報を取得でき、それ以外には、組成情報を秘匿しておくことができる。これにより、部品又は製品の不当な取り扱いを防止することができる。
【０００９】
上記に記載の組成情報提供システムにおいて、ＲＦＩＤチップには、組成情報管理サーバのネットワーク上のアドレスが記憶されていることが好ましい。
【００１０】
この構成によれば、ＲＦＩＤチップに組成情報管理サーバのネットワーク上のアドレスを記録しておくことによって、アドレスを手入力することなく、組成情報取得端末を組成情報管理サーバにアクセスさせることができる。
【００１１】
上記に記載の組成情報提供システムにおいて、部品又は製品を構成する物質の組成情報は、部品又は製品に含有するレアメタルの情報であることが好ましい。
【００１２】
この構成によれば、所定のリサイクル工場を正規の機関としておき、この所定のリサイクル工場の組成情報取得端末でのみ、組成情報管理サーバにアクセスできるようにしておくことで、当該所定のリサイクル工場に対し、容易にレアメタル情報を取得させることができる。また、それ以外のリサイクル工場に対しては、レアメタル情報を秘匿しておくことができるため、貴重なレアメタルが含まれている電子部品や電子機器等が不当な業者により回収されたり、不当に輸出されたりすることを防止することができる。
【００１３】
上記に記載の組成情報提供システムにおいて、組成情報データベースには、識別コードに対応して、部品又は製品中で各物質が含まれる部品名又は部位と、その物質名と、その物質の含有量の情報が格納されていることが好ましい。
【００１４】
この構成によれば、暗号化情報を解読可能な正規の機関において、詳細な組成情報（部品名又は部位と、それに使われている物質名と、その物質の含有量の情報）を取得することができる。
【００１５】
組成情報提供システムの制御方法は、部品又は製品を識別する識別コードが記憶されたＲＦＩＤチップが装着された部品又は製品と、部品又は製品の組成情報を管理する組成情報データベースを有する組成情報管理サーバと、部品又は製品を構成する物質の組成情報を取得する組成情報取得端末と、組成情報管理サーバと組成情報取得端末との間で通信を行うネットワークとを有する組成情報提供システムの制御方法であって、組成情報管理サーバが、識別コードに対応して各電子部品又は製品を構成する物質の組成情報を組成情報データベースに記憶させる工程と、組成情報取得端末が、組成情報取得の対象となる電子部品又は製品に装着されたＲＦＩＤチップから識別コードを取得する工程と、組成情報取得端末が、ネットワークを介して組成情報管理サーバに接続し、当該組成情報取得端末が登録された端末であるか否かの認証を受ける工程と、組成情報取得端末が、認証成立を条件として、取得した識別コードを組成情報管理サーバに送信する工程と、組成情報管理サーバが、組成情報取得端末から送られてきた識別コードに基づいて組成情報データベースから当該識別コードに対応する組成情報を検索する工程と、組成情報管理サーバが、検索した組成情報を組成情報取得端末に送信する工程とを有することを特徴とする。
【００１６】
この構成によれば、組成情報データベースに部品又は製品を構成する物質の組成情報が登録され、ＲＦＩＤチップに、組成情報の識別コードが保持されているため、部品又は製品のメーカーに問い合わせることなく、組成情報取得端末から組成情報データベースにアクセスするだけで容易に組成情報を取得することができる。また、組成情報管理サーバに認証部が設けられて、登録を受けている組成情報取得端末のみが組成情報管理サーバにアクセスでき、それ以外に対しては、接続が拒否されるため、登録を受けている正規のユーザの組成情報取得端末でのみ組成情報を取得でき、それ以外には、組成情報を秘匿しておくことができる。これにより、部品又は製品の不当な取り扱いを防止することができる。
【００１７】
本発明のプログラムは、上記に記載の組成情報提供システムの制御方法における各工程を実行させるためのものである。
【００１８】
このプログラムを用いることにより、回収された電子部品や電子機器からレアメタルに関するレアメタル情報等の組成情報を簡単に取得できると共に組成情報を秘匿することができる。
【発明を実施するための最良の形態】
【００１９】
以下、本発明の一実施形態に係る組成情報提供システム、組成情報提供システムの制御方法及びプログラムについて図面を参照しながら説明する。図１、図２、及び図３は、本発明が適用された電子機器の実施形態として使用されるハードディスクドライブ装置１０の上面構成、内部構成、及び底面構成を示す斜視図である。
【００２０】
図１に示すように、ハードディスクドライブ装置１０は、金属製の駆動部カバー１１に覆われている。ハードディスクドライブ装置１０の一側面には、電源コネクタ１２及びインターフェース１３が配設される。
【００２１】
図２に示すように、ハードディスクドライブ装置１０の内部には、磁性体が塗布された円板のプラッタ１４と、このプラッタ１４を回転させるディスク駆動モータ１５と、プラッタ１４へのデータの書き込み／読み出しを行うヘッド駆動部１６とが配設されている。
【００２２】
プラッタ１４は、例えばレアメタルであるルテニウムをスパッタリングして形成されている。ディスク駆動モータ１５には、例えばレアメタルであるネオジウムやコバルトが含まれている。ヘッド駆動部１６には、例えばレアメタルであるネオジウムが磁性体として使用されている。また、ハードディスクドライブ装置１０の内部には、駆動系のレアメタル情報の識別コードが記憶された駆動用ＲＦＩＤ（Radio Frequency Identification）チップ２１ａが装着されている。
【００２３】
ＲＦＩＤチップ２１ａは、パッシブタイプを採用しており、メモリとして機能するＩＣチップ部、通信内容のエンコード・デコード等を行う制御部、ＩＣチップに電源を供給するとともに情報の送受信用のアンテナとして機能するアンテナ部から成る。これらの構成により、後述するＲＦＩＤリーダ５１から電磁誘導を利用して電源の供給を受けつつ、非接触で情報の送受信が可能となっている。
【００２４】
図３に示すように、ハードディスクドライブ装置１０の底面には、基板１７が配設される。基板１７には、ＩＣチップ、コンデンサ、抵抗等の回路部品１８が実装されている。基板１７のパターンには、例えばレアメタルである金や銀が使用されている。また、回路部品１８の例えばコンデンサには、レアメタルであるタンタルが使用されている。また、基板１７には、基板系のレアメタル情報の識別コードが記憶されたＲＦＩＤチップ２１ｂが装着されている。
【００２５】
なお、ＲＦＩＤチップ２１ａ及び２１ｂの取り付け位置は、図示した位置に限られるものではなく、任意である。また、ハードディスクドライブ装置１０に対し、１個のＲＦＩＤチップ２１を取り付けるようにしても良いし、駆動系及び基板系で、それぞれ複数個取り付けるようにしても良い。
【００２６】
このように、ハードディスクドライブ装置１０には、駆動系及び基板系のレアメタル情報の識別コード及び基板系のレアメタルの識別コードが記憶されたＲＦＩＤチップ２１ａ及び２１ｂが装着される。また、これら駆動系及び基板系のレアメタル情報の各識別コードに対応して、レアメタルの物質名と、その物質の含有量と、部品名とからなるレアメタル情報が、組成情報管理サーバ４０の組成情報データベース４１（図４参照）に蓄積される。
【００２７】
ここで、図４を参照し、電子部品や電子機器２０に含まれているレアメタル情報を組成情報管理サーバ４０の組成情報データベース４１に保存し、その識別コードをＲＦＩＤチップ２１ａ、２１ｂに記憶させるための記録装置３０の概要について説明する。
【００２８】
図４に示すように、記録装置３０は、情報記録制御部３２と、ＲＦＩＤライター３３とを有している。情報記録制御部３２には、レアメタル情報と基礎情報とが入力される。レアメタル情報は、レアメタルの物質名と、その物質の含有量と、部品名とから成る。基礎情報は、管理を委託されている機関、組織、企業、団体などのネットワーク上のアドレス（ＵＲＬ：Uniform Resource Locator）等の情報と、暗号を解くための認証を管理する情報と、から成る。
【００２９】
情報記録制御部３２に入力されたレアメタル情報は、識別コードに対応して、組成情報管理サーバ４０の組成情報データベース４１に保存される。また、レアメタル情報に対応する識別コード及び基礎情報は、ＲＦＩＤライター３３に送られる。そして、ＲＦＩＤライター３３により、ＲＦＩＤチップ２１（電子部品又は電子機器２０がハードディスクドライブ装置１０の場合にはＲＦＩＤチップ２１ａ及び２１ｂに相当する）に、レアメタル情報に対応する識別コード及び基礎情報が記憶される。
【００３０】
図５は、リサイクルの際に電子部品や電子機器２０からレアメタルの情報を取得するための組成情報提供システムのシステム構成を示すものである。組成情報提供システムは、ＲＦＩＤチップ２１が装着された電子部品又は電子機器２０と、組成情報管理サーバ４０と、組成情報取得端末５０と、組成情報管理サーバ４０と組成情報取得端末５０との間で通信を行うネットワーク４７と、により構成される。
【００３１】
図５において、組成情報管理サーバ４０は、電子部品や電子機器２０のレアメタル情報を管理するためのサーバである。組成情報管理サーバ４０は、例えば、レアメタルの管理を委託されている公的な機関、組織、或いは団体等により運営されている。
【００３２】
組成情報管理サーバ４０は、組成情報データベース４１と、認証用データベース４２とを有している。組成情報データベース４１には、前述したように、識別コードに対応して、レアメタルの物質名と、その物質の含有量と、部品名とがレアメタル情報として保存されている。認証用データベース４２には、予め登録されているユーザのユーザＩＤやパスワードが認証情報として保存されている。
【００３３】
また、組成情報管理サーバ４０は、組成情報検索部４３と認証管理部４４（認証部）とを有している。組成情報検索部４３は、識別コードを基に、組成情報データベース４１からレアメタル情報を検索する。認証管理部４４は、認証用データベース４２を用いて、予め登録されているユーザの組成情報取得端末５０のみアクセスを許可し、それ以外の端末のアクセスを拒否する認証処理を行う。また、組成情報管理サーバ４０は、通信部４５（識別コード受信部、組成情報送信部）により、ネットワーク４７を介して、組成情報取得端末５０と情報の送受信が可能となっている。
【００３４】
組成情報取得端末５０は、例えば、リサイクル工場に配置されており、組成情報取得端末５０には、ＲＦＩＤリーダ５１（読取部）が接続されている。また、組成情報取得端末５０には、入力部５３と表示部５４とが設けられている。また、組成情報取得端末５０は、通信部５５（識別コード送信部、組成情報受信部）により、ネットワーク４７を介して、組成情報管理サーバ４０と情報の送受信が可能となっている。
【００３５】
図５において、電子部品や電子機器２０をリサイクルする際には、ＲＦＩＤリーダ５１により、電子部品や電子機器２０に取り付けられたＲＦＩＤチップ２１から識別コードが読み出される。そして、組成情報取得端末５０によりネットワーク４７を介して組成情報管理サーバ４０にアクセスされる。組成情報管理サーバ４０は、アクセスされるとき、認証管理部４４により、組成情報取得端末５０の認証を行う。認証が成立すると、組成情報取得端末５０は、ＲＦＩＤリーダ５１で読み取られた識別コードを、組成情報管理サーバ４０に送信する。組成情報取得端末５０からの識別コードが組成情報管理サーバ４０で受信されると、組成情報検索部４３により、識別コードに対応するレアメタル情報を組成情報データベース４１から検索する。組成情報管理サーバ４０は、検索したレアメタル情報を、組成情報取得端末５０に送信する。組成情報取得端末５０は、レアメタル情報を受信すると、このレアメタル情報を表示部５４に表示させる。
【００３６】
図６は、電子部品や電子機器２０に含まれているレアメタル情報に対応する識別コードをＲＦＩＤチップ２１に記憶させ、また、レアメタル情報を組成情報管理サーバ４０の組成情報データベース４１に登録させる際の記録装置３０の処理を示すフローチャートである。
【００３７】
図６に示すように、記録装置３０は、先ず、リサイクル時に分別される部分毎に、電子部品や電子機器２０の各部分のレアメタルの情報を取得する（ステップＳ１）。
【００３８】
例えば、図１〜図３に示したハードディスクドライブ装置１０の場合には、基板１７の部分が外されて、別々にリサイクルされることが考えられる。これを考慮して、駆動系と基板系とに分けて、レアメタル情報が取得される。駆動系の部分には識別コードとして例えばＲＤ０１が割り当てられ、基板系の部分には識別コードとして例えばＲＤ０２が割り当てられる。
【００３９】
次に、記録装置３０は、識別コードに対応して、レアメタルの物質名と、その物質の含有量と、部品名とからなるレアメタル情報を組成情報データベース４１に登録する（ステップＳ２）。
【００４０】
例えば、上述のハードディスクドライブ装置１０の場合には、図７（Ａ）に示すように、駆動系の識別コードＲＤ０１に対応して、レアメタルの物質名（ルテニウム、ネオジウム、コバルト、ニッケル）、その含有量（１００μｇ、１０ｇ、１０ｇ、２ｇ、２０ｍｇ）、部品名（プラッタ、ヘッド駆動部、ディスク駆動モータ）が組成情報データベース４１に登録される。また、基板系の識別コードＲＤ０２に対応して、図７（Ｂ）に示すように、レアメタルの物質名（金、銀、タンタル）、その含有量（１５ｍｇ、７０ｍｇ、０．１μｇ）、部品名（基板及びＩＣパターン、コンデンサ他回路部品）が組成情報データベース４１に登録される。
【００４１】
次に、記録装置３０は、ＲＦＩＤチップ２１に、レアメタル情報に対応する識別コードと基礎情報とを記憶させる（ステップＳ３）。
【００４２】
例えば、上述のハードディスクドライブ装置１０の場合には、駆動系と基板系との２つのＲＦＩＤチップ２１ａ及び２１ｂが用意される。ＲＦＩＤチップ２１ａには、駆動系のレアメタル情報に対応する識別コードＲＤ０１と基礎情報とが記憶される。ＲＦＩＤチップ２１ｂには、基板系のレアメタル情報に対応する識別コードＲＤ０２と基礎情報とが記憶される。
【００４３】
図８は、電子部品や電子機器２０をリサイクルする際に、収集された電子部品や電子機器２０のレアメタル情報を取得する際の、ＲＦＩＤリーダ５１、組成情報取得端末５０および組成情報管理サーバ４０の処理を示すシーケンス図である。
【００４４】
図８において、組成情報取得端末５０は、ＲＦＩＤリーダ５１により電子部品又は電子機器２０に取り付けられたＲＦＩＤチップ２１から識別コードの読み出しを行う（ステップＳ１０１）。
【００４５】
例えば、前述のハードディスクドライブ装置１０のリサイクルを行う場合には、ＲＦＩＤリーダ５１で、ハードディスクドライブ装置１０のＲＦＩＤチップ２１ａ及び２１ｂに記憶されている識別コードＲＤ０１及びＲＤ０２が読み出される。
【００４６】
次に、組成情報取得端末５０は、組成情報管理サーバ４０にアクセスする（ステップＳ１０２）。組成情報管理サーバ４０は、組成情報取得端末５０からのアクセスを受信すると、組成情報取得端末５０との間での認証処理を行う（ステップＳ１０３）。なお、組成情報管理サーバ４０へのアクセスは、ＲＦＩＤチップ２１に基礎情報として記録されているＵＲＬを用いて、自動的に行うことができる。つまり、組成情報取得端末５０は、ＲＦＩＤチップ２１の読み取り動作に連動して、組成情報管理サーバ４０に自動アクセスできる。また、認証は、組成情報取得端末５０を操作しているユーザがＩＤやパスワードを入力して行う他、ＲＦＩＤチップ２１に記録されている基礎情報（暗号を解くための認証を管理する情報）を使って、自動的に行うことができる。
【００４７】
次に、組成情報管理サーバ４０は、認証が成立するかどうかを判別する（ステップＳ１０４）。認証が成立した場合、組成情報管理サーバ４０は、組成情報取得端末５０に、接続許可を送信する（ステップＳ１０５）。認証が成立しない場合は、接続拒否となる（ステップＳ１０６）。
【００４８】
組成情報取得端末５０は、組成情報管理サーバ４０から接続許可を受信すると、ＲＦＩＤリーダ５１により読み取られた識別コードを組成情報管理サーバ４０に送信する（ステップＳ１０７）。
【００４９】
組成情報管理サーバ４０は、組成情報取得端末５０からの識別コードを受信すると、この識別コードを基に、組成情報データベース４１を検索する（ステップＳ１０８）。組成情報管理サーバ４０は、識別コードに対応する組成情報を検索すると、検索したレアメタル情報を、組成情報取得端末５０に送信する（ステップＳ１０９）。
【００５０】
組成情報取得端末５０は、組成情報管理サーバ４０から送られてきたレアメタル情報を受信し、当該レアメタル情報を表示部５４に表示させる（ステップＳ１１０）。
【００５１】
例えば、前述のハードディスクドライブ装置１０のリサイクルを行う場合には、組成情報取得端末５０から組成情報管理サーバ４０に、識別コードＲＤ０１及びＲＤ０２が送られてくる。組成情報管理サーバ４０は、この識別コードＲＤ０１及びＲＤ０２に基づいて、図７（Ａ）及び図７（Ｂ）に示した組成情報データベース４１を検索する。これにより、識別コードＲＤ０１に対応して、レアメタルの物質名（ルテニウム、ネオジウム、コバルト、ニッケル）、その含有量（１００μｇ、１０ｇ、１０ｇ、２ｇ、２０ｍｇ）、部品名（プラッタ、ヘッド駆動部、ディスク駆動モータ）のレアメタル情報が検索される。また、識別コードＲＤ０２に対応して、レアメタルの物質名（金、銀、タンタル）、その含有量（１５ｍｇ、７０ｍｇ、０．１μｇ）、部品名（基板及びＩＣパターン、コンデンサ他回路部品）のレアメタル情報が検索される。検索されたレアメタル情報は組成情報管理サーバ４０から組成情報取得端末５０に送られ、表示部５４には、図９に示すように、ハードディスクドライブ装置１０に含まれているレアメタルの情報が表示される。
【００５２】
なお、図９では、駆動系のレアメタル情報と基板系のレアメタル情報とを一括して表示しているが、識別コード別に表示しても良い。
【００５３】
上述のように、本発明の実施形態では、電子部品や電子機器２０に、電子部品や電子機器２０を識別するための識別コードが記憶されたＲＦＩＤチップ２１に取り付け、また組成情報データベース４１に、識別コードに対応して、レアメタル情報を保存している。そして、リサイクル時には、ＲＦＩＤリーダ５１により、ＲＦＩＤチップ２１ａ及び２１ｂから識別コードを読み出し、この識別コードを組成情報取得端末５０から組成情報管理サーバ４０に送り、組成情報管理サーバ４０で、組成情報データベース４１から、識別コードに基づいてレアメタル情報を検索し、このレアメタル情報を組成情報管理サーバ４０から組成情報取得端末５０に送るようにしている。
【００５４】
ここで、組成情報管理サーバ４０からレアメタル情報が流出しないように、組成情報管理サーバ４０は、レアメタルの管理を委託されている公的な機関、組織、記号、団体等により運営されている。また、組成情報管理サーバ４０は、予め決められた端末としか接続できないように、認証管理部４４が設けられている。このようにしておくと、予め認証用データベース４２に登録されている組成情報取得端末５０を保有している正規のリサイクル工場でのみ、レアメタル情報を取得でき、それ以外に対しては、レアメタル情報を秘匿しておくことができる。
【００５５】
本発明は、上述した実施形態に限定されるものではなく、本発明の要旨を逸脱しない範囲内で様々な変形や応用が可能である。
【００５６】
例えば、上述の例では、組成情報としてレアメタル情報を組成情報データベース４１に保存し、その識別コードをＲＦＩＤチップ２１に記録しているが、組成情報はレアメタル情報に限定されるものではない。例えば、組成情報として合成樹脂の情報を記録しておくと、この合成樹脂の情報を利用して、リサイクル可能か否か、消却廃棄可能かどうか等を判断することができる。
【００５７】
また、上述の例では、電子部品や電子機器２０をリサイクルする場合について説明したが、本発明は、これに限定されるものではなく、他の部品や製品をリサイクルする場合にも同様に適用できる。また、上記の実施形態に示した組成情報提供システムの各工程を実行させるためのプログラム、およびそのプログラムを格納した各種記録媒体（ＣＤ−ＲＯＭ、フラッシュメモリ等）も、本発明の権利範囲に含まれるものである。
【図面の簡単な説明】
【００５８】
【図１】本発明が適用された電子部品の実施形態として使用されるハードディスクドライブ装置の上面構成を示す斜視図である。
【図２】本発明が適用された電子部品の実施形態として使用されるハードディスクドライブ装置の内部構成を示す斜視図である。
【図３】本発明が適用された電子部品の実施形態として使用されるハードディスクドライブ装置の底面構成を示す斜視図である。
【図４】本発明の実施形態において、レアメタル情報を組成情報データベースに登録し、レアメタル情報の識別コードをＲＦＩＤチップに記憶させるための装置の構成を示すブロック図である。
【図５】本発明の実施形態において、電子部品や電子機器からレアメタルの情報を取得するためのシステム構成を示すブロック図である。
【図６】本発明の実施形態において、レアメタル情報を組成情報データベースに登録し、レアメタル情報の識別コードをＲＦＩＤチップに記憶させる際の処理を示すフローチャートである。
【図７】本発明の実施形態においてＲＦＩＤに記憶されるレアメタル情報の説明図である。
【図８】本発明の実施形態において、電子部品や電子機器からレアメタル情報を取得する際の処理を示すフローチャートである。
【図９】本発明の実施形態におけるレアメタル情報の表示の説明図である。
【符号の説明】
【００５９】
１０：ハードディスクドライブ装置、２１，２１ａ，２１ｂ：ＲＦＩＤチップ、３０：記録装置、３２：情報記録制御部、３３：ＲＦＩＤライター、４０：組成情報管理サーバ、４１：組成情報データベース、４２：認証用データベース、４３：組成情報検索部、４４：認証管理部、４５：通信部、４７：ネットワーク、５０：組成情報取得端末、５０：組成情報取得端末、５１：ＲＦＩＤリーダ、５３：入力部、５４：表示部、５５：通信部
【図１】
2009116640.tif 000003
【図２】
2009116640.tif 000004
【図３】
2009116640.tif 000005
【図４】
2009116640.tif 000006
【図５】
2009116640.tif 000007
【図６】
2009116640.tif 000008
【図７】
2009116640.tif 000009
【図８】
2009116640.tif 000010
【図９】
2009116640.tif 000011